(57)【要約】      （修正有）【課題】環境条件が過酷な遠隔場所で使用可能な高い信頼性を有するディーゼル発電機セットを提供する。【解決手段】エンジン発電機調整装置は、電圧調整モジュール１２５と、調速機制御モジュール１３０と、電圧調整モジュール１２５及び調速機制御モジュール１３０に作動的に結合された計測モジュール１３５と、計測モジュール１３５に作動的に結合された操作モジュール１４０であって、電圧調整モジュール１２５、調速機制御モジュール１３０、及び計測モジュール１３５から状態情報を受け取るように構成された操作モジュール１４０とを含む。【選択図】図１
2011250681.tif 000002
【特許請求の範囲】
【請求項１】
電圧調整モジュール（１２５）と、
調速機制御モジュール（１３０）と、
前記電圧調整モジュール（１２５）及び調速機制御モジュール（１３０）と作動的に結合された計測モジュール（１３５）と、
前記計測モジュール（１３５）と作動的に結合された操作モジュール（１４０）であって、前記電圧調整モジュール（１２５）、調速機制御モジュール（１３０）、及び計測モジュール（１３５）から状態情報を受け取るように構成され、前記状態情報を遠隔管制部（１５０）に伝達するように構成された前記操作モジュール（１４０）とを備える、エンジン発電機制御装置。
【請求項２】
前記操作モジュール（１４０）と作動的に結合されたユーザインタフェース（１４１）をさらに備える、請求項１に記載の装置。
【請求項３】
前記ユーザインタフェース（１４１）は、遠隔通信のために通信インタフェース（１４５）と結合されるように構成された、請求項２に記載の装置。
【請求項４】
前記遠隔通信は、無線、有線、電波、及び衛星のうちの少なくとも１つである、請求項３に記載の装置。
【請求項５】
前記計測モジュール（１３５）と結合された電力計をさらに備える、請求項１に記載の装置。
【請求項６】
前記計測モジュール（１３５）と結合された無効電力計をさらに備える、請求項１に記載の装置。
【請求項７】
前記計測モジュール（１３５）と結合された電圧計をさらに備える、請求項１に記載の装置。
【請求項８】
前記計測モジュール（１３５）と結合された電流計をさらに備える、請求項１に記載の装置。
【請求項９】
前記電圧調整モジュール（１２５）は、内部励磁機（１１１）を介して、外部発電機（１１０）と結合されるように構成された、請求項１に記載の装置。
【請求項１０】
前記調速機制御モジュール（１３０）は、前記外部発電機（１１０）と結合された外部エンジン（１１５）のアクチュエータ（１１６）と結合されるように構成された、請求項９に記載の装置。
【発明の詳細な説明】
【技術分野】
【０００１】
本発明は、電力調整に関し、特に、ディーゼル発電機セットのシステム及び方法に関する。
【背景技術】
【０００２】
ディーゼル発電機セットが高信頼の電源を提供できるように、電力調整を行うことが望ましい。特に、環境条件が過酷な遠隔場所では、高信頼の電源が必要である。例えば、油井掘削リグは、複数のディーゼル発電機セットを利用して、掘削駆動システムと掘削プラットフォームの一般配電サービスとにＡＣ電力を供給する。リグを適切に動作させるために、エンジン発電機セットは、電圧及び周波数の正確な制御を含めて、高信頼の安定電源を提供する必要がある。また、エンジン発電機セットは、個々のユニットが過負荷にならないように負荷を分担することも重要である。多くの場合、石油リグには、電力を調整するための個別モジュール（ディーゼルエンジン速度調整器、電圧調整器、保護リレーなど）が装備されている。
【先行技術文献】
【特許文献】
【０００３】
【特許文献１】米国特許第７４０５５４３号
【発明の概要】
【課題を解決するための手段】
【０００４】
本発明の一態様に従って、エンジン発電機調整装置を説明する。エンジン発電機調整装置は、電圧調整モジュールと、調速機制御モジュールと、電圧調整モジュール及び調速機制御モジュールと作動的に結合された計測モジュールと、計測モジュールと作動的に結合された操作モジュールであって、電圧調整モジュール、調速機制御モジュール、及び計測モジュールから状態情報を受け取るように構成された操作モジュールとを含む。
【０００５】
本発明の別の態様に従って、エンジン発電機調整システムを説明する。エンジン発電機調整システムは、エンジン発電機調整モジュールを含み、エンジン発電機調整モジュールは、電圧調整モジュールと、調速機制御モジュールと、電圧調整モジュール及び調速機制御モジュールに作動的に結合された計測モジュールと、計測モジュールに作動的に結合された操作モジュールであって、電圧調整モジュール、調速機制御モジュール、及び計測モジュールから状態情報を受け取るように構成された操作モジュールとを含む。エンジン発電機調整システムはさらに、操作モジュールと結合されて管制部との遠隔通信を行うように構成された通信インタフェースを含む。
【０００６】
本発明のさらに別の態様に従って、エンジン発電機調整装置に電力調整命令を与えるためのコンピュータプログラム製品であって、コンピュータに方法を実施させる命令を含むコンピュータプログラム製品を説明する。この方法は、発電機内の電圧を調整するステップと、発電機と結合されたエンジンの速度を制御するステップと、発電機及びエンジンと結合された計器を監視するステップと、計測データをエンジン発電機調整器から操作インタフェースに送信するステップとを含む。
【０００７】
上記及び他の利点及び特徴は、以下の説明を図面と併せて読むことにより、さらに明らかになろう。
【０００８】
本主題、すなわち、本発明は、本明細書の末尾にある特許請求の範囲において具体的に指摘され、明確に請求されている。本発明の前述及び他の特徴及び利点は、以下の詳細な説明を添付の図面と併せて読むことにより、明らかになる。
【０００９】
詳細な説明では、例として図面を参照しながら、本発明の実施形態を、利点及び特徴とともに説明する。
【図面の簡単な説明】
【００１０】
【図１】例示的なエンジン発電機制御モジュールシステムのブロック図である。
【図２】エンジン発電機調整器の処理システムの一例示的実施形態を示す。
【図３】例示的実施形態による、エンジン発電機調整の方法のフローチャートである。
【発明を実施するための形態】
【００１１】
図１は、例示的エンジン発電機制御モジュールシステム１００のブロック図である。システム１００は、外部エンジン１１５と作動的に結合された一例示的エンジン発電機調整器１２０を含み、この結合は、エンジンアクチュエータ１１６（限定はしないが、逆バイアスアクチュエータを含む）及び発電機１１０を介する。エンジン発電機調整器１２０は、高信頼の電源を必要とするシステムに電力調整機能を提供する単一ユニットを提供する。例示的実施形態では、エンジン発電機調整器１２０は、エンジン１１５を始動させ、一定のエンジン速度を維持する。エンジン発電機調整器１２０はさらに、発電機１１０と結合された設備１０５のエネルギ源である、発電機１１０の出力電圧を調整する。エンジン発電機調整器１２０はさらに、通信インタフェース１４５と結合され、通信インタフェース１４５はさらに、管制部１５０と結合される。説明のため、設備１０５は、石油リグで使用される任意の設備（掘削駆動システムなど）であるとする。エンジン１１５は、石油リグにあるディーゼルエンジンであってよく、発電機１１０は、任意の様々な発電機である。さらに、管制部１５０は、海岸又は沖合のいずれかにあり、管制部１５０内のユーザは、エンジン１１５及び／又は発電機１１０が管制部１５０からの制御を必要とした場合に、通信インタフェース１４５を介してエンジン発電機調整器１２０にアクセスすることが可能である。設備１０５は、任意のエンジン１１５から給電される任意のタイプの発電機１１０から電力を受け取る任意の設備であることを理解されたい。さらに、この電力は、限定はしないが、掘削、推進、モータによるポンピング、パイプラインへのガスの詰め込みなどの機能に利用される。石油リグの例は、説明目的に過ぎない。
【００１２】
エンジン発電機調整器１２０はさらに、「第１の故障」及び多重故障の記憶及び報知のためのシステム診断、並びに電源投入時の内部自己診断を行う。診断結果から、システムのＫＶＡ及びｋＷ制限保護が与えられる。さらに、発電機の内部モデルによって、発電機の一時的過電流が許可される。さらに、エンジン発電機調整器１２０は、発電機１１０を励起する励磁機能を有する。従って、エンジン発電機調整器１２０は、励磁機１１１を介して発電機１１０と結合された励磁機出力１２１を含む。励磁は、最大２４０ボルトのＡＣ出力を与え、最大２０アンペアの励磁を与える。
【００１３】
例示的実施形態では、エンジン発電機調整器１２０は、通信インタフェース１４５とインタフェースする埋め込み通信ポートを有し、埋め込み通信ポートには、限定はしないが、イーサネット（商標）、ＲＳ２３２、ＲＳ４８５の各ポートが含まれ、光ファイバ拡張（ＦＯＸ）が通信に使用できる。本明細書で詳述するように、通信ポートは、ユーザインタフェース１４１に配置される。
【００１４】
例示的実施形態では、エンジン発電機調整器１２０は、タコメータ喪失検知、過速度検知、及び調節可能な時間遅延による逆電力保護により、エンジン１１５を保護する。キロワット負荷分担は、他の保護機能に含めてもよい。過速度への備えにより、機械的過速度限界の制御監視が可能である。エンジン発電機調整器１２０はエンジン速度を設定し、設定は、オフ、アイドル、運転、及び装荷を含む。エンジン１１５の同期中は、エンジン発電機調整器１２０を介してエンジン速度を選択できる。例示的実施形態では、エンジン１１５の加速率を、アイドル速度から運転速度まで制御できる。エンジン発電機調整器１２０は、アイドル及びシャットダウンを遠隔から行うことも可能である。
【００１５】
例示的実施形態では、エンジン発電機調整器１２０は、システム１００のいくつかの状態をユーザにアラートするインジケータを含み、そのような状態には、限定はしないが、発電機オン、電圧不足、過電圧／周波数不足、逆電力、過速度、タコメータ喪失、その他の故障、処理装置ＯＫなどがある。発電機オン状態については、発電機ブレーカが閉じていて、設備１０５に給電するＡＣバスに電力が供給されている場合にユーザにアラートするように、インジケータが実装されている。例えば、このインジケータがオフ状態にあるとき、発電機ブレーカは開いている。電圧不足の状態では、電圧不足状態が存在することをインジケータが表示する。そして、トリップ信号を発電機ブレーカに送信する。過電圧／周波数不足の状態では、発電機の過電圧状態又は周波数不足状態が存在する場合に、インジケータがユーザにアラートする。過電圧状態のトリップ信号が発電機ブレーカに送信されている間、周波数不足状態のトリップ信号は送信されない。逆電力状態については、容認できないレベルの逆電力がＡＣバスから発電機１１０に逆に流れたときに、インジケータが表示され、トリップ信号が発電機ブレーカに送信される。過速度状態については、エンジン１１５が、プログラム可能な過速度限界を超えた場合に、インジケータがその状態を報知する。トリップ信号が発電機ブレーカに送信され、燃料遮断信号がエンジン１１５に送信される。タコメータ喪失状態については、タコメータ速度信号が喪失した場合に、インジケータがユーザにアラートする。この場合は、トリップ信号をエンジン１１５に送信することが可能である。その他の故障状態については、インジケータがオフ状態の場合に、ある故障状態が存在する。さらに、その故障の説明を、エンジン発電機調整器１２０の別のインジケータから取得できる。処理装置ＯＫ状態については、インジケータの電源をオンにすることにより、処理装置が所望の状態で動作していることをユーザにアラートする。このインジケータは、オフ状態であると、処理装置の内部故障が存在することをユーザにアラートする。電源ＯＫ状態については、インジケータをオン状態にして、入力電力又はＤＣバッテリ電力が存在し、すべての出力が所望の状態で動作していることをユーザにアラートする。例示的実施形態では、エンジン発電機調整器１２０はさらに、エンジン１１５の自動始動、負荷制御、同期チェック、及び故障バス監視を行う自動同期機能を含む。
【００１６】
例示的実施形態では、エンジン発電機調整器１２０は、限定はしないが、電圧調整モジュール１２５、調速機制御モジュール１３０、計測モジュール１３５、操作モジュール１４０などの複数のモジュールを含む。
【００１７】
例示的実施形態では、電圧調整モジュール１２５は、発電機１１０の出力電圧を負荷の変化に対して一定値に保つ。従って、電圧調整モジュールは、電圧出力を制御し、発電機出力をオペレータによる設定と比較し、界磁電圧を変更することによって発電機出力を変更し、一時的な発電機過電流を許す。
【００１８】
例示的実施形態では、調速機制御モジュール１３０は、電気信号を用いてエンジンアクチュエータ１１６（すなわち、スロットル）の位置を制御することにより、エンジン１１５の速度を調整する。従って、調速機制御モジュール１３０は、本明細書に記載の、エンジン１１５保護、タコメータ喪失検知、過速度検知、逆電力保護、エンジン１１５制御、速度制御、エンジン１１５加速制御、及び自動同期を提供する。本明細書に記載のように、エンジン速度制御は、限定はしないが、「オフ」、「アイドル」、「運転」、及び「装荷」を含む各状態を有する。「アイドル」状態では、エンジン１１５をアイドル速度で始動及び運転する。「運転」状態では、エンジン１１５は、規定の速度で運転され、発電機１１０は、負荷がかかることも、他の稼働中の発電機と負荷を分担することもない。「装荷」状態では、エンジン１１５は規定の速度で運転し、発電機１１０は負荷がかかり、他の稼働中の発電機と連係して負荷を均等に分担する。
【００１９】
例示的実施形態では、計測モジュール１３５は、本明細書に記載のインジケータを含む。これらのインジケータは、限定はしないが、電力計、無効電力計、電圧計、及び電流計を含む。電力計は、エンジンによって生成される電力を示し、すべてのエンジンが負荷を分担していることを保証する。無効電力計は、発電機１１０によって供給される電力を示し、複数の発電機が適正に並列化されていることを保証する。電圧計は、発電機１１０又は発電機バスの電圧を示す。電流計は、エンジン発電機調整器１２０上の相ごとの線電流を示す。
【００２０】
例示的実施形態では、操作モジュール１４０は、本明細書に記載のエンジン発電機調整器の各機能に対するユーザインタフェース１４１を与える。操作モジュール１４０はさらに、通信インタフェース１４５へのアクセスを提供する。操作モジュールが表示するのは、システム１００の状態、システム１００の故障、本明細書に記載の機能オプションのメニュー、及び自己診断機能である。
【００２１】
エンジン発電機調整器１２０は、以下に記載の処理機能を有利に含む。
【００２２】
図２は、エンジン発電機調整器の処理システム２００の一例示的実施形態を示す。本明細書に記載の方法及び機能は、ソフトウェア（例えば、ファームウェア）、ハードウェア、又はこれらの組み合わせの形で実装可能である。例示的実施形態では、本明細書に記載の方法は、ソフトウェア（実行可能プログラム）の形で実装され、パーソナルコンピュータ、ワークステーション、ミニコンピュータ、又はメインフレームコンピュータのような専用又は汎用デジタルコンピュータによって実行される。従って、システム２００は、汎用コンピュータ２０１として実装可能である。
【００２３】
例示的実施形態では、ハードウェアアーキテクチャの観点から、図２に示すように、コンピュータ２０１は、処理装置２０５と、メモリ制御装置２１５に結合されたメモリ２１０と、ローカル入出力制御装置２３５を介して通信可能に結合されている１つ以上の入力及び／又は出力（Ｉ／Ｏ）装置２４０、２４５（又は周辺装置）とを含む。当該技術分野において周知であるように、入出力制御装置２３５は、限定はしないが、１つ以上のバス又は他の有線又は無線接続である。簡潔にするために省略しているが、入出力制御装置２３５は、通信を可能にするための他の素子を有し、例えば、コントローラ、バッファ（キャッシュ）、ドライバ、リピータ、及びレシーバを有する。さらに、ローカルインタフェースは、前述の構成要素間の適切な通信を可能にするためのアドレス、制御、及び／又はデータの接続を含む。
【００２４】
処理装置２０５は、ソフトウェア（特に、メモリ２１０に格納されているソフトウェア）を実行するハードウェアデバイスである。処理装置２０５は、任意のカスタムメイドプロセッサ又は市販プロセッサ、中央処理ユニット（ＣＰＵ）、コンピュータ２０１に関連付けられた複数のプロセッサの中の補助プロセッサ、半導体ベースのマイクロプロセッサ（マイクロチップ又はチップセットの形で）、マクロプロセッサ、又は、一般に任意の、ソフトウェア命令を実行するデバイスである。
【００２５】
メモリ２１０は、揮発性メモリ素子及び不揮発性メモリ素子のいずれか一方又はこれらの組み合わせを含み、揮発性メモリ素子は、例えば、ランダムアクセスメモリ（ＲＡＭ、例えば、ＤＲＡＭ、ＳＲＡＭ、ＳＤＲＡＭなど）であり、不揮発性メモリ素子は、例えば、ＲＯＭ、消去可能プログラム可能読み出し専用メモリ（ＥＰＲＯＭ）、電気的消去可能プログラム可能読み出し専用メモリ（ＥＥＰＲＯＭ）、プログラム可能読み出し専用メモリ（ＰＲＯＭ）、テープ、コンパクトディスク読み出し専用メモリ（ＣＤ−ＲＯＭ）、ディスク、ディスケット、カートリッジ、カセットなどである。さらに、メモリ２１０は、電子式、磁気式、光学式、及び／又は他のタイプの記憶媒体を組み込む。なお、メモリ２１０は、分散型アーキテクチャを有し、このアーキテクチャでは、様々な構成要素が互いに離れて位置しながら、処理装置２０５からのアクセスが可能である。
【００２６】
メモリ２１０内のソフトウェアは、１つ以上の別々のプログラムを含み、各プログラムは、論理機能を実施する複数の実行可能命令の、順序付けられた並びからなる。図２の例では、メモリ２１０内のソフトウェアは、例示的実施形態による、本明細書に記載のエンジン発電機調整器の方法と、適切なオペレーティングシステム（ＯＳ）２１１とを含む。オペレーティングシステム２１１は、基本的には、本明細書に記載のエンジン発電機調整器のシステム及び方法のような、他のコンピュータプログラムの実行を制御し、スケジューリング、入出力制御、ファイル及びデータの管理、メモリ管理、並びに通信制御及び関連サービスを行う。
【００２７】
本明細書に記載のエンジン発電機調整器の方法は、ソースプログラム、実行可能プログラム（オブジェクトコード）、スクリプト、又は他の任意の、実行すべき一連の命令を含むエンティティの形態である。ソースプログラムを実行する場合は、コンパイラ、アセンブラ、インタプリタなど（これらはメモリ２１０内に含まれていてもいなくてもよい）を用いて、ソースプログラムを、ＯＳ２１１と関連して適正に動作するように翻訳する必要がある。さらに、エンジン発電機調整器の方法は、データのクラスとメソッドとを有するオブジェクト指向プログラミング言語、又はルーチン、サブルーチン、及び／又は関数を有する手続き型プログラミング言語を用いて書くことが可能である。
【００２８】
例示的実施形態では、一般的なキーボード２５０及びマウス２５５を入出力制御装置２３５につなぎ、入出力制御装置２３５はインタフェース１４１と結合する。キーボード及びマウスの機能は、ディスプレイ２３０をナビゲートするキーとしてユーザインタフェース１４１に実装できる。例えば、このキーは、工業用メンブレンキーボードである。Ｉ／Ｏ装置２４０、２４５などの他の出力装置は、入力装置を含み、限定ではないが例として、プリンタ、スキャナ、マイクなどを含む。最後に、Ｉ／Ｏ装置２４０、２４５はさらに、入力及び出力の両方を伝達する装置を含み、例えば、それらは、限定はしないが、（他のファイル、デバイス、システム、又はネットワークにアクセスするための）ネットワークインタフェースカード（ＮＩＣ）又は変調器／復調器、無線周波数（ＲＦ）、衛星インタフェース又は他のトランシーバ、電話インタフェース、ブリッジ、ルータなどである。システム２００はさらに、ディスプレイ２３０と結合されたディスプレイ制御装置２２５を含む。ディスプレイは、故障メッセージ、チューンナップメッセージ、診断情報、及び他の状態情報を表示するように構成された、任意のタイプのディスプレイ（例えば、液晶ディスプレイ（ＬＣＤ））である。例示的実施形態では、システム２００はさらに、ネットワーク２６５と結合するためのネットワークインタフェース２６０を含む。ネットワーク２６５は、コンピュータ２０１と、任意の外部サーバ、クライアントなどとの間の、ブロードバンド接続経由の通信のためのＩＰベースのネットワークである。ネットワーク２６５は、コンピュータ２０１と外部システムとの間でデータの送受信を行う。例示的実施形態では、ネットワーク２６５は、サービスプロバイダによって管理される管理ＩＰネットワークである。ネットワーク２６５は、無線方式で実装され、例えば、ＷｉＦｉ、ＷｉＭａｘなどのような無線プロトコル及び技術を用いて実装される。ネットワーク２６５はまた、パケット交換ネットワークであり、例えば、ローカルエリアネットワーク、ワイドエリアネットワーク、メトロポリタンエリアネットワーク、インターネットネットワーク、又は他の同様のタイプのネットワーク環境である。ネットワーク２６５は、固定無線ネットワーク、無線ローカルエリアネットワーク（ＬＡＮ）、無線ワイドエリアネットワーク（ＷＡＮ）、パーソナルエリアネットワーク（ＰＡＮ）、仮想プライベートネットワーク（ＶＰＮ）、イントラネット、又は他の適切なネットワークシステムであり、信号の送受信を行う設備を含む。
【００２９】
コンピュータ２０１がＰＣ、ワークステーション、インテリジェントデバイスなどである場合、メモリ２１０内のソフトウェアはさらに、基本入出力システム（ＢＩＯＳ）（簡潔にするために省略）を含む。ＢＩＯＳは、一連の基本ソフトウェアルーチンであって、起動時にハードウェアの初期化及び検査を行い、ＯＳ２１１を起動し、ハードウェアデバイス間のデータ転送をサポートする。ＢＩＯＳは、コンピュータ２０１の起動時に実行できるように、ＲＯＭに格納されている。
【００３０】
処理装置２０５は、コンピュータ２０１の動作中、メモリ２１０内に格納されるソフトウェアの実行、メモリ２１０とのデータのやりとり、及び、ソフトウェアに従うコンピュータ２０１の動作の全般的制御を行うように構成される。本明細書に記載のエンジン発電機調整器の方法及びＯＳ２１１は、その全体又は一部が（典型的には、一部が）処理装置２０５によって読み出され、場合により処理装置２０５内でバッファリングされ、その後、実行される。
【００３１】
本明細書に記載のシステム及び方法が、図２に示したように、ソフトウェアの形で実装される場合、本方法は、任意のコンピュータ関連システム又は方法によって（又は、これと関連して）使用するために、記憶装置２２０のような任意のコンピュータ可読媒体に格納される。
【００３２】
当業者であれば理解されるように、本発明の態様は、システム、方法、又はコンピュータプログラム製品として具体化され得る。従って、本発明の態様は、すべてがハードウェアの実施形態、又は、すべてがソフトウェアの実施形態（ファームウェア、常駐ソフトウェア、マイクロコードなどを含む）、又は、本明細書において、すべてまとめて「回路」、「モジュール」、又は「システム」と称する場合がある、ソフトウェア態様及びハードウェア態様を組み合わせた実施形態の形をとる。さらに、本発明の態様は、コンピュータ可読プログラムコードが埋め込まれた１つ以上のコンピュータ可読媒体の形で具体化されたコンピュータプログラム製品の形をとる。
【００３３】
１つ以上のコンピュータ可読媒体の任意の組み合わせが利用可能である。コンピュータ可読媒体は、コンピュータ可読信号媒体又はコンピュータ可読記憶媒体である。コンピュータ可読記憶媒体は、限定ではないが例として、電子式、磁気式、光学式、電磁式、赤外線式、又は半導体式のシステム、装置、又はデバイス、あるいはこれらの任意の好適な組み合わせである。コンピュータ可読記憶媒体の具体的な例（網羅的でない一覧）として、１つ以上のワイヤを有する電気的接続、可搬型コンピュータディスケット、ハードディスク、ランダムアクセスメモリ（ＲＡＭ）、読み出し専用メモリ（ＲＯＭ）、消去可能プログラム可能読み出し専用メモリ（ＥＰＲＯＭ又はフラッシュメモリ）、光ファイバ、可搬型コンパクトディスク読み出し専用メモリ（ＣＤ−ＲＯＭ）、光記憶装置、磁気記憶装置、又はこれらの任意の好適な組み合わせが挙げられる。本文書の文脈では、コンピュータ可読記憶媒体は、命令を実行するシステム、装置、又はデバイスによって（又は、これと関連して）使用されるプログラムを収容（又は格納）できる任意の有形の媒体である。
【００３４】
コンピュータ可読信号媒体は、コンピュータ可読プログラムコードが（例えば、ベースバンドで、又は搬送波の一部として）埋め込まれた伝搬データ信号を含む。このような伝搬信号は、任意の様々な形をとり、限定ではないが例として、電磁信号、光信号、又はこれらの任意の好適な組み合わせの形をとる。コンピュータ可読信号媒体は、コンピュータ可読記憶媒体ではなく、命令を実行するシステム、装置、又はデバイスによって（又は、これと関連して）使用されるプログラムを伝達、伝搬、又は搬送できる、任意のコンピュータ可読媒体である。
【００３５】
コンピュータ可読媒体上に埋め込まれたプログラムコードは、任意の適切な媒体で送信され、限定ではないが例として、無線、有線、光ファイバケーブル、ＲＦなど、又はこれらの任意の好適な組み合わせを用いて送信される。
【００３６】
本発明の態様の動作を実行するためのコンピュータプログラムコードは、１つ以上のプログラミング言語の任意の組み合わせで書くことが可能であり、そのような言語として、Ｊａｖａ（商標）、Ｓｍａｌｌｔａｌｋ、Ｃ＋＋などのようなオブジェクト指向プログラミング言語や、「Ｃ」プログラミング言語や同様のプログラミング言語のような従来の手続き型プログラミング言語がある。プログラムコードは、すべてをユーザのコンピュータで実行すること、又は一部をユーザのコンピュータで、スタンドアロンソフトウェアパッケージとして実行すること、又は一部をユーザのコンピュータで実行し、一部を遠隔コンピュータで実行すること、又はすべてを遠隔コンピュータ又はサーバで実行できる。後半のシナリオの場合、遠隔コンピュータは、ローカルエリアネットワーク（ＬＡＮ）又はワイドエリアネットワーク（ＷＡＮ）を含む任意のタイプのネットワークでユーザのコンピュータに接続され、あるいは、（例えば、インターネットサービスプロバイダによるインターネット経由で）外部コンピュータに接続される。
【００３７】
以下では、本発明の実施形態による方法、装置（システム）、及びコンピュータプログラム製品のフローチャート図及び／又はブロック図を参照しながら、本発明の態様を説明する。フローチャート図及び／又はブロック図の各ブロック、並びにフローチャート図及び／又はブロック図におけるブロックの組み合わせは、コンピュータプログラム命令によって実施可能であることを理解されたい。これらのコンピュータプログラム命令は、マシンを形成するために、汎用コンピュータ、専用コンピュータ、又は他のプログラム可能なデータ処理装置のプロセッサに与えられ、それらの命令は、コンピュータ又は他のプログラム可能なデータ処理装置のプロセッサで実行されて、フローチャート及び／又はブロック図の１つ又は複数のブロックで指定される機能／動作を実施する手段を作成する。
【００３８】
これらのコンピュータプログラム命令はまた、コンピュータ可読媒体に格納され、コンピュータ可読媒体に格納された命令によって、フローチャート及び／又はブロック図の１つ又は複数のブロックで指定される機能／動作を実施する命令を含む製造物が作成されるように、特定の様式で機能することを、コンピュータ、他のプログラム可能なデータ処理装置、又は他の装置に指示できる。
【００３９】
これらのコンピュータプログラム命令はまた、コンピュータ、他のプログラム可能なデータ処理装置、又は他の装置にロードして、コンピュータ、他のプログラム可能な装置、又は他のデバイスで一連の動作ステップを実行させることにより、コンピュータ実装されたプロセスを実施し、その際、コンピュータ又は他のプログラム可能なデータ処理装置で実行される命令は、フローチャート及び／又はブロック図の１つ又は複数のブロックで指定される機能／動作を実施するプロセスを提供する。
【００４０】
図示したフローチャート及びブロック図は、本発明の様々な実施形態によるシステム、方法、及びコンピュータプログラム製品の可能な実装のアーキテクチャ、機能性、及び動作を示す。この点において、フローチャート又はブロック図の各ブロックは、指定された論理機能を実装するための１つ以上の実行可能命令からなるモジュール、セグメント、又はコード部分を表す。また、代替実装によっては、ブロックに記された機能が、図示された順序から外れて実行される場合もある。例えば、図において連続している２つのブロックが、実際には、関与する機能性に応じて、ほぼ同時に実行される場合もあれば、あるいは、逆の順序で実行される場合もある。また、ブロック図及び／又はフローチャート図の各ブロック、並びにブロック図及び／又はフローチャート図のブロックの組み合わせは、指定された機能又は動作を実行する専用ハードウェアベースのシステム、又は専用ハードウェアとコンピュータ命令との組み合わせによって実装可能である。
【００４１】
エンジン発電機調整器の方法がハードウェアの形で実装される例示的実施形態では、本明細書に記載のエンジン発電機調整器の方法は、それぞれが当該技術分野において周知である、以下の技術のいずれか又は組み合わせにより実装可能であり、それらの技術は、データ信号に対する論理機能を実装する論理ゲートを有するディスクリート論理回路、論理ゲートの適切な組み合わせを有する特定用途向け集積回路（ＡＳＩＣ）、プログラマブルゲートアレイ（ＰＧＡ）、フィールドプログラマブルゲートアレイ（ＦＰＧＡ）などである。
【００４２】
図３は、例示的実施形態による、エンジン発電機調整の方法３００のフローチャートを示す。方法３００は、本明細書に記載の例示的エンジン発電機調整器１２０の機能性のサブセットを表している。本明細書では、エンジン発電機調整器１２０の機能について説明してきた。方法３００は、順次的又は非順次的に実行可能な機能性のサブセットであることを理解されたい。従って、本明細書に記載の各ブロックは、必ずしも、以下の説明の順序どおりには実行されない。ブロック３０５で、エンジン発電機調整器１２０は、発電機１１０の電圧を調整する。ブロック３１０で、エンジン発電機調整器１２０は、エンジン１１５の速度を調整する。ブロック３１５で、エンジン発電機調整器１２０は、本明細書に記載の各種計器を監視する。ブロック３２０で、エンジン発電機調整器１２０は、計器データをユーザインタフェース１４１に送信する。ブロック３２５で、エンジン発電機調整器１２０は、通信インタフェース１４５経由で計器データを管制部１５０に送信する。ブロック３３０で、エンジン発電機調整器１２０は、ユーザインタフェース１４１及び操作モジュール１４０を介してユーザが入力したコマンドを処理する。ユーザが入力する各種コマンドは、本明細書に記載の、エンジン発電機調整器１２０の様々な機能に関連付ける。
【００４３】
技術的効果としては、単一ユニットによる電圧調整、エンジン制御、エンジン／発電機診断、自己検査機能、計器監視、タコメータ喪失検知によるエンジン保護、過速度検知、調節可能な時間遅延による逆電力保護、自動同期、自動始動、負荷制御、同期チェック、故障バス監視などが挙げられる。例示的エンジン発電機調整器１２０は、様々な発電機とともに動作する。エンジン発電機調整器１２０はさらに、逆バイアスアクチュエータとともに動作する。エンジン発電機調整器１２０はまた、海岸又は沖合の石油リグ管制部のような管制部との遠隔通信を提供する。
【００４４】
ごく限られた数の実施形態に関して、本発明を詳細に説明してきたが、本発明がこのような開示の実施形態に限定されないことは容易に理解されよう。逆に、本発明は、これまで説明してこなかったが本発明の趣旨及び範囲を逸脱しない任意の数の変形、変更、置換、又は等価構成を組み込むように修正できる。さらに、本発明の様々な実施形態を説明してきたが、本発明の態様は、記載の実施形態の一部のみを含むものでもよいことを理解されたい。従って、本発明は、前述の明細書によって限定されるものではなく、添付の特許請求の範囲によってのみ限定される。
【符号の説明】
【００４５】
１００  エンジン発電機制御モジュールシステム
１０５  設備
１１０  発電機
１１１  励磁機
１１５  エンジン
１１６  エンジンアクチュエータ
１２０  エンジン発電機調整器
１２１  励磁機出力
１２５  電圧調整モジュール
１３０  調速機制御モジュール
１３５  計測モジュール
１４０  操作モジュール
１４１  ユーザインタフェース
１４５  通信インタフェース
１５０  管制部
２００  処理システム
２０１  コンピュータ
２０５  処理装置
２１０  メモリ
２１１  オペレーティングシステム（ＯＳ）
２１５  メモリ制御装置
２２０  記憶装置
２２５  ディスプレイ制御装置
２３０  ディスプレイ
２３５  入出力制御装置
２４０  入力及び／又は出力（Ｉ／Ｏ）装置
２４５  入力及び／又は出力（Ｉ／Ｏ）装置
２５０  キーボード
２５５  マウス
２６０  ネットワークインタフェース
２６５  ネットワーク
【図１】
2011250681.tif 000003
【図２】
2011250681.tif 000004
【図３】
2011250681.tif 000005